(57)【要約】      （修正有）【課題】円筒状ブラシの交換が便利となるクリーニングブラシを提供する。【解決手段】ケース１と、円筒状ブラシ２と、ケースの内部に円筒状ブラシを固定するための固定部材３を含む。ケースは、収容空間１１と、開口端１２と、環状溝１３と、環状壁１４と、リブ１５と、一つ以上の穿孔１６を有する。環状壁１４の内径は、開口端１２と環状壁１４の上端面の間に位置する収容空間１１の直径より小さく、且つ環状壁１４の上端面と環状溝１３の下端面との間の幅は、円筒状ブラシの上端面と下端面との間の幅と同じである。リブ１５の上端面は、環状溝１３の下端面から、環状壁１４の上端面まで下方へ延び、円筒状ブラシは、ストリップと剛毛を有する円筒状に形成され、固定部材３は拡開可能に設けられている。【選択図】図１
0003204683.tif 000002
【実用新案登録請求の範囲】
【請求項１】
ケースと、前記ケースの内部に設けられる円筒状ブラシと、前記ケースの内部に前記円筒状ブラシを固定するための固定部材を含むクリーニングブラシにおいて、
前記ケースは、中空であり円筒状を呈する収容空間と、前記ケースの一端に位置し、前記収容空間と連通する開口端と、前記ケースの壁の裏側に設けられ、前記開口端に近接する環状溝と、前記ケースの壁の裏側に設けられ、前記環状溝の下方に位置する環状壁と、前記ケースの壁の裏側から前記収容空間へ突出するリブと、前記ケースに設けられ、前記環状壁に位置する一つ以上の穿孔を有し、前記環状溝の上下溝壁の間の幅は、前記固定部材の上端面と下端面の間の幅よりやや大きく、又は前記固定部材の上端面と下端面との間の幅と同じであり、前記環状壁の内径は、前記開口端と前記環状壁の上端面との間に位置する前記収容空間の直径より小さく、且つ前記環状壁の上端面と前記環状溝の下端面との間の幅は、前記円筒状ブラシの上端面と下端面との間の幅と同じであり、前記リブは、上端面と、下端面と、左端面と、右端面を有し、前記リブの上端面は、前記ケースの壁の裏側に位置する前記環状溝の下端面から、前記環状壁の上端面まで下方へ延び、前記リブの上下端面の間の幅は、前記円筒状ブラシの上端面と下端面との間の幅と同じであり、前記円筒状ブラシは、左端辺と右端辺を設けたストリップと剛毛を有し屈曲可能な材料で円筒状に形成され、前記ストリップの左端辺と右端辺との間の幅は、両端辺を当接してストリップを円筒状にしたときの外径が前記ケースの内径よりやや小さくなるように定められ、前記固定部材には、貫通孔と、前記貫通孔と連接するギャップと、前記ギャップの両側にそれぞれ位置する二つの差込穴と、外端縁と、内端縁が設けられており、前記固定部材の外端縁は、前記ケースの前記環状溝に位置して固定され、前記固定部材の内端縁は、前記ケースの前記環状溝の外部に突出し、前記固定部材の内端縁の下端面は、前記円筒状ブラシの上端面に当接し、前記円筒状ブラシの下端面は、前記環状壁の上端面に当接し、前記円筒状ブラシの前記ストリップの外壁面は、前記ケースの壁の裏面に当接し、前記ストリップの左端辺は前記ケースの前記リブの左端面に当接し、前記ストリップの右端辺は前記ケースの前記リブの右端面に当接することを特徴とするクリーニングブラシ。
【請求項２】
前記ケースは、前記開口端に対向する端の反対端に結合空間が設けられていることを特徴とする請求項１に記載のクリーニングブラシ。
【考案の詳細な説明】
【技術分野】
【０００１】
本考案は、ブラシに関し、特に、蓄電池の陰極継ぎ手と陽極継ぎ手部分や、車両のホイール用ボルトなどに発生する錆をクリーニングすることが可能なクリーニングブラシに関するものである。
【背景技術】
【０００２】
蓄電池を長期間に利用されると、その陰極継ぎ手及び陽極継ぎ手とケーブルの接続箇所に錆が発生するため、接触が不良となり、導電性が降下する。また、車両のホイール用ボルトが長期間に利用されると、錆が発生するため、ボルトとナットをしっかりと締め付けることができなくなる。これにより、運転の安全性が降下する。
【０００３】
上記のものに発生する錆を除去するために、本願の出願人が特許文献１の米国特許第6，769，151  Ｂ1号を提案した。これは、本体と、ハンドルと、ロッド状ブラシと、から構成される。前記本体の内部には、固定ブロックと、円筒状ブラシとが設けられている。前記固定ブロックのサイド壁面の適当な箇所に固定穴が設けられている。前記固定穴は、前記本体の固定穴に対応する。これらの前記固定穴は、結合部材に挿通されて固定される。前記固定ブロックには、ねじ穴が設けられている。前記ねじ穴に、前記ロッド状ブラシの螺旋部または連接ロッドを螺合可能である。上記のような構成によれば、円筒状ブラシに、蓄電池の陰極継ぎ手、陽極継ぎ手、又はホイール用ボルトを入れて、ユーザが手で前記ハンドルを握って前記本体を回転すると、前記本体内の前記円筒状ブラシに設けられている剛毛が錆を除去可能である。或いは、前記本体の前記固定ブロックに設けられているねじ穴に前記連接ロッドの螺旋部を螺合して、前記連接ロッドの他端を電動工具と結合して、電動工具により前記本体を快速に回転すると、前記本体内の前記円筒状ブラシに設けられている剛毛が錆を除去可能である。
【０００４】
しかしながら、上記のような構成によれば、円筒状ブラシを交換するときには、ドライバなどの工具により、固定ブロックと本体を結合する結合部材を緩めて、固定ブロックと本体とを分離することが必要である。そして新しい又は異なる寸法を有する円筒状ブラシを交換した後、固定ブロックと本体を結合しようとするときには、本体の固定穴に固定ブロックの固定穴を位置合わせることが困難である。これにより、これらの固定穴に結合部材を挿通してロックすることが難しい。
【先行技術文献】
【特許文献】
【０００５】
【特許文献１】米国特許第6，769，151  Ｂ1号公報
【考案の概要】
【考案が解決しようとする課題】
【０００６】
本考案の主な目的は、円筒状ブラシの交換が便利となるクリーニングブラシを提供することにある。
【課題を解決するための手段】
【０００７】
本考案によればケースと、ケースの内部に設けられる円筒状ブラシと、ケースの内部に円筒状ブラシを固定するための固定部材を含むクリーニングブラシにおいて、
ケースは、中空であり円筒状を呈する収容空間と、ケースの一端に位置し、収容空間と連通する開口端と、ケースの壁の裏側に設けられ、開口端に近接する環状溝と、ケースの壁の裏側に設けられ、環状溝の下方に位置する環状壁と、ケースの壁の裏側から収容空間へ突出するリブと、ケースに設けられ、環状壁に位置する一つ以上の穿孔を有し、環状溝の上下溝壁の間の幅は、固定部材の上端面と下端面の間の幅よりやや大きく、又は固定部材の上端面と下端面との間の幅と同じであり、環状壁の内径は、開口端と環状壁の上端面との間に位置する収容空間の直径より小さく、且つ環状壁の上端面と環状溝の下端面との間の幅は、円筒状ブラシの上端面と下端面との間の幅と同じであり、リブは、上端面と、下端面と、左端面と、右端面を有し、リブの上端面は、ケースの壁の裏側に位置する環状溝の下端面から、環状壁の上端面まで下方へ延び、リブの上下端面の間の幅は、円筒状ブラシの上端面と下端面との間の幅と同じであり、円筒状ブラシは、左端辺と右端辺を設けたストリップと剛毛を有し屈曲可能な材料で円筒状に形成され、ストリップの左端辺と右端辺との間の幅は、両端辺を当接してストリップを円筒状にしたときの外径がケースの内径よりやや小さくなるように定められ、固定部材には、貫通孔と、前記貫通孔と連接するギャップと、ギャップの両側にそれぞれ位置する二つの差込穴と、外端縁と、内端縁が設けられており、固定部材の外端縁は、ケースの環状溝に位置して固定され、固定部材の内端縁は、ケースの環状溝の外部に突出し、固定部材の内端縁の下端面は、円筒状ブラシの上端面に当接し、円筒状ブラシの下端面は、環状壁の上端面に当接し、円筒状ブラシのストリップの外壁面は、ケースの壁の裏面に当接し、ストリップの左端辺はケースのリブの左端面に当接し、ストリップの右端辺はケースのリブの右端面に当接することを特徴とするクリーニングブラシが提供される。
【０００８】
本考案のクリーニングブラシによると、ケースは、開口端に対向する端の反対端に結合空間が設けられていることを特徴とするクリーニングブラシが提供される。
【考案の効果】
【０００９】
本考案のクリーニングブラシによれば、次のような効果がある。
（１）固定部材３の貫通孔３１に、蓄電池の陰極継ぎ手、蓄電池の陽極継ぎ手、又は車両のホイール用ボルトを差し込むと、円筒状ブラシ２のストリップ２１に設けられている剛毛２２が、蓄電池の陰極継ぎ手、蓄電池の陽極継ぎ手、又は車両のホイール用ボルトに接触するため、手でケース１を回転することにより、ケース１の内部に配されている円筒状ブラシ２のストリップ２１の剛毛２２が錆を迅速に除去可能である。また、ケース１の結合空間１７に、電動工具または手工具の継ぎ手４を差し込むと、電動工具または手工具により、錆を迅速に除去可能である。
【００１０】
（２）ケース１の円筒状を呈する収容空間内に円筒状ブラシ２を設けるとき、又はケース１の円筒状を呈する収容空間から、円筒状ブラシ２を取り出そうとする場合には、ラジオペンチの先端をそれぞれ固定部材３の二つの差込穴３３に差し込んで、差込穴３３を近接させ、固定部材３の外径を減少させる。これにより、固定部材３を、開口端１２に入れ、又は開口端１２から取り出すことが可能である。このような構成によれば、その便利性が特許文献１の米国特許第6，769，151  Ｂ1号のものより良い。
【図面の簡単な説明】
【００１１】
【図１】本考案の実施形態に係るクリーニングブラシを示す分解斜視図である。
【図２】本考案の実施形態に係るクリーニングブラシを示す断面図である。
【図３】本考案に係るケースを示す平面図である。
【図４】本考案の実施形態の使用状態を示す断面図である。
【考案を実施するための形態】
【００１２】
以下、本考案の実施の形態を図面に基づいて説明する。
【００１３】
本考案の上記の目的、特徴及び長所を容易に理解されるために、実施形態を挙げて説明する。図１から図３を参照する。本考案に係るクリーニングブラシは、ケース１と、ケース１の内部に設けられる円筒状ブラシ２と、ケース１の内部に円筒状ブラシ２を固定するための固定部材３を含む。ケース１は、中空であり円筒状を呈する収容空間１１と、開口端１２と、環状溝１３と、環状壁１４と、リブ１５と、一つ以上の穿孔１６を有する。開口端１２は、ケース１の一端に位置し、収容空間１１と連通する。円筒状ブラシ２と固定部材３は、開口端１２を経由してケース１に入れることが可能である。環状溝１３は、ケース１の壁の裏側に設けられており、開口端１２に近接して位置する。環状溝１３の上下溝壁の間の幅は、固定部材３の上端面３６と下端面３７の間の幅よりやや大きく、又は固定部材３の上端面３６と下端面３７との間の幅と同じである。このため、環状溝１３に固定部材３を入れることが可能である。環状壁１４は、ケース１の壁の裏側に設けられており、環状溝１３の下方に位置する。環状壁１４の内径ａは、図３に示すように、開口端１２と環状壁１４の上端面との間に位置する収容空間１１の直径ｂより小さく、且つ環状壁１４の上端面と環状溝１３の下端面との間の幅は、円筒状ブラシ２の上端面２３と下端面２４との間の幅と同じである。このため、円筒状ブラシ２の上端面２３は、環状溝１３に入れられる固定部材３の下端面３７に当接し、円筒状ブラシ２の下端面２４は、環状壁１４の上端面に当接し、円筒状ブラシ２は収容空間１１内に拘束される。リブ１５は、ケース１の壁の裏側から収容空間１１へ突出する。リブ１５は、上端面１５１と、下端面１５２と、左端面１５３と、右端面１５４を有する。リブ１５の上端面１５１は、ケース１の壁の裏側に位置する環状溝１３の下端面から、環状壁１４の上端面まで下方へ延びる。リブ１５の上下端面１５１，１５２の間の幅は、円筒状ブラシ２の上端面２３と下端面２４との間の幅と同じである。穿孔１６は、ケース１に設けられており、環状壁１４に位置する。このため、図４に示すように、穿孔１６に適当な工具Ｔを差し込んで、環状壁１４に位置する円筒状ブラシ２の下端面２４を押し上げて、円筒状ブラシ２を開口端１２側へ移動することが可能である。これにより、円筒状ブラシ２の交換は便利となる。
【００１４】
図１及び図４を参照する。ケース１は、開口端１２に対向する端の反対端に結合空間１７が設けられていることが好ましい。これにより、電動工具や手工具の継ぎ手４を結合空間１７に差し込んで結合可能である。
【００１５】
図１に示すように、円筒状ブラシ２は、屈曲可能な材料（例えばゴム材料）で作製されるストリップ２１に、同じ長さを有する金属製の多数の剛毛２２を固定した後、ストリップを曲げて円筒状に形成されている。ストリップ２１には、左端辺２１１と右端辺２１２が設けられている。ストリップ２１の左端辺２１１と右端辺２１２の間の幅は、両端辺を当接してストリップを円筒状にしたときの外径がケース１の内径よりやや小さくなるように定められている。このため、ケース１の開放端に、円筒状に形成した円筒状ブラシ２を入れて、環状壁１４の上端面に円筒状ブラシ２の下端面２４を当接すると、円筒状ブラシ２の上端面２３が固定部材３の下端面３７に当接し、ストリップ２１の外壁面がケース１の壁の裏面に当接する。これにより、円筒状ブラシ２は、移動が制限されてケース１内で上下動することができなくなる。また、ストリップ２１の左端辺２１１はリブ１５の左端面１５３に当接し、ストリップ２１の右端辺２１２はリブ１５の左端面１５４に当接する。これにより、円筒状ブラシ２は、ケース１内で回動することができなくなる。
【００１６】
図１を参照する。固定部材３は、樹脂、ステンレススチール又は鉄鋼等の比較的硬い材料を採用し、Ｃ字形を呈する。固定部材３は、蓄電池の陰極継ぎ手、陽極継ぎ手、又はホイール用ボルトを差し込み可能な貫通孔３１と、貫通孔３１と連接するギャップ３２と、ギャップ３２の両側にそれぞれ位置する二つの差込穴３３を有し、拡開可能に設けられている。ギャップ３２を有するため、ラジオペンチの先端をそれぞれ差込穴３３に差し込んで、差込穴３３を近接させると、固定部材３の外径が減少する。これにより、開口端１２から固定部材３を入れて、ケース１の環状溝１３に固定部材３の外端縁３４を固定すると、固定部材３の内端縁３５の下端面３７がケース１の環状溝１３内に突入する。このように、下端面３７に円筒状ブラシ２の上端面２３を当接可能である。
【００１７】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。例えば本実施形態では、固定部材３のギャップ３２の両側に、図１に示すように差込穴がそれぞれ設けられているが、もちろん、フック又はピンがそれぞれ設けられていてもよい。
【産業上の利用可能性】
【００１８】
本考案は、クリーニングブラシに適用することができる。
【符号の説明】
【００１９】
１  ケース
２  円筒状ブラシ
３  固定部材
４  継ぎ手
１１  収容空間
１２  開口端
１３  環状溝
１４  環状壁
１５  リブ
１６  穿孔
１７  結合空間
２１  ストリップ
２２  剛毛
２３  上端面
２４  下端面
３１  貫通孔
３２  ギャップ
３３  差込穴
３４  外端縁
３５  内端縁
３６  上端面
３７  下端面
１５１  上端面
１５２  下端面
１５３  左端面
１５４  右端面
２１１  左端辺
２１２  右端辺
ａ  内径
ｂ  直径
Ｔ  工具
【図１】
0003204683.tif 000003
【図２】
0003204683.tif 000004
【図３】
0003204683.tif 000005
【図４】
0003204683.tif 000006